(57)【特許請求の範囲】
【請求項１】
携帯端末装置のヒンジ部近傍に設けられ、所定の光を発光する発光手段と、
前記発光手段が発光した光を表示する発光表示レンズとを備え、
前記発光表示レンズは、
前記発光手段を覆うように配置され、前記発光手段が発光する光を受光する受光部と、
前記受光部が受光した光を導光する導光部と、
前記携帯端末装置の筺体面から突出して固定され、前記導光部が導光した光を表示する発光表示部とで構成され、
前記発光表示部の表面にシボ状の凹凸を設けることを特徴とする発光表示部構造。
【請求項２】
前記発光表示部の一部は、山型形状であることを特徴とする請求項１記載の発光表示構造。
【請求項３】
前記発光表示部が少なくとも２つ以上設けられる場合、
第１の発光表示部と第２の発光表示部は、相対する筐体面からそれぞれ突出して固定して設けられることを特徴とする請求項２記載の発光表示構造。
【請求項４】
前記受光部に対向する導光板の側面が傾斜しており、前記受光部が受光した光を、当該側面を介して前記発光表示部へ導光することを特徴とする請求項１または２に記載の発光表示構造。
【請求項５】
所定の光を発光する発光手段と、
前記発光手段が発光した光を表示する発光表示レンズとをヒンジ部近傍に設けた携帯端末装置であって、
前記発光表示レンズは、
前記発光手段を覆うように配置され、前記発光手段が発光する光を受光する受光部と、
前記受光部が受光した光を導光する導光部と、
前記携帯端末装置の筺体面から突出して固定され、前記導光部が導光した光を表示する発光表示部とで構成され、
前記発光表示部の表面にシボ状の凹凸を設けることを特徴とする携帯端末装置。
【請求項６】
前記発光表示手段の一部は、山型形状であることを特徴とする請求項５記載の携帯端末装置。
【請求項７】
前記発光表示部が少なくとも２つ以上設けられる場合、
第１の発光表示部と第２の発光表示部は、相対する筐体面からそれぞれ突出して固定して設けられることを特徴とする請求項６記載の携帯端末装置。
【請求項８】
前記受光部に対向する導光板の側面が傾斜しており、前記受光部が受光した光を、当該側面を介して前記発光表示部へ導光することを特徴とする請求項５または６に記載の携帯端末装置。
【発明の詳細な説明】
【技術分野】
【０００１】
本発明は、発光表示により着信等を報知するための発光表示構造及び携帯端末装置に関する。
【背景技術】
【０００２】
携帯電話機等の携帯端末装置には、電話や電子メールの着信時やアラーム起動時等に発光することにより、着信やアラームを報知するための発光表示構造が筐体に備えられているものが多い。一方、携帯電話機等の携帯端末装置は、薄型化、小型化が急速に進んでおり、実装レイアウトの制限により、上記発光表示構造を視認性のよい場所に設置できない場合が増えている。
【０００３】
本発明に関連する携帯電話機について図９〜図１１を参照して説明する。図９、図１０は、折り畳み式携帯電話機の外観を示す斜視図である。図１１は、図９に示す折り畳み式携帯電話機の発光表示構造を示すＡ−Ａ断面図である。
【０００４】
図９に示す折り畳み式携帯電話機では、表示部を備えた上筐体の上部中央に発光表示構造が設けられている。この発光表示構造は、発光表示レンズ１と、ＬＥＤ（Light Emitting Diode）４とで構成されており、図１１のＡ−Ａ断面図に示すように、筐体２の内側に固定される発光表示レンズ１の一部である発光表示部１ａを、筐体面２ａと筐体面２ｂの間に露出させる構造となっている（露出した面は、筐体面２ａ及び筐体面２ｂと同一平面となっている）。そして、プリント基板３に実装されるＬＥＤ４から発せられた光が、導光部１ｂを通じて発光表示部１ａで発光する構造となっている。
【０００５】
また、図１０に示す折り畳み式携帯電話機では、発光表示部１ａを上筐体の角部に配置することにより、発光表示を確認できる面を増やすことができるようにしている。
【０００６】
本発明に関連する技術例として、電源スイッチとして、オン状態とオフ状態とで、スイッチカバーとスイッチ本体との距離が変化する押しボタン式スイッチを用い、オン状態のときにスイッチカバーがケースから突出し、オフ状態のときにスイッチカバーがケース内に収容され、電源スイッチが着信ランプを兼ねる「無線通信機」がある（例えば、特許文献１参照）。
【特許文献１】特開平８−３２６５７号公報
【発明の開示】
【発明が解決しようとする課題】
【０００７】
しかしながら、図９に示す携帯電話機の発光表示構造では、発光表示部１ａは、２面（Ｘ、Ｙ）にまたがる構造となっているため、２方向から発光を確認することができるが、他の４面（４方向）からは死角となり、発光表示を視認することができないという問題があった。
【０００８】
また、図１０に示す携帯電話機の発光表示構造では、発光表示を確認できる方向は図９のものよりも増えるが、上筐体の角部に設置する発光表示レンズが大きくなるため、筐体における設置スペースの確保が必要となるという問題があった。
【０００９】
また、上記特許文献１記載の無線通信機は、着信ランプを兼ねた電源スイッチが、電源オンのときにケースから突出する構造であるので、突出した電源スイッチが何かの拍子で押下されてしまい、ユーザの意図に沿わずに電源がオフになってしまうおそれがあり、着信ランプ等の発光表示を常時視認できる構造とは言い難い。一般的に、携帯電話機等の不使用時には、電源をオフにせずにオンのまま待機状態としておくことが多く、携帯電話機のオン・オフの切り替えが頻繁に行われることはない。よって、電源オンの状態が多い携帯電話機では、電源のオン・オフ状態に左右されずに、着信ランプ等の発光表示を常時視認できる構造が望ましい。
【００１０】
本発明は、上記事情に鑑みてなされたものであり、筐体における設置スペースを最小限にでき、常時かつ多方面から発光表示を視認できる、発光表示構造及び携帯端末装置を提供することを目的とする。
【課題を解決するための手段】
【００１１】
かかる目的を達成するために、本発明の第１の発光表示構造は、携帯端末装置に設けられ、所定の光を発光する発光手段と、発光手段が発光した光を表示する発光表示手段とを有し、発光表示手段の一部は、携帯端末装置の筐体面から突出して固定して設けられることを特徴とする。
【００１２】
本発明の第２の発光表示構造は、本発明の第１の発光表示構造において、発光表示手段の一部は、山型形状であることを特徴とする。
【００１３】
本発明の第３の発光表示構造は、本発明の第１又は第２の発光表示構造において、発光表示手段は、発光手段が発光した光を受光する受光部と、受光部が受光した光を導光する導光部と、導光部が導光した光を表示する少なくとも１以上の発光表示部と、を有し、発光表示部が、発光表示手段の一部であることを特徴とする。
【００１４】
本発明の第４の発光表示構造は、本発明の第３の発光表示構造において、発光表示部が少なくとも２つ以上設けられる場合、第１の発光表示部と第２の発光表示部は、相対する筐体面からそれぞれ突出して固定して設けられることを特徴とする。
【００１５】
本発明の第１の携帯端末装置は、所定の光を発光する発光手段と、発光手段が発光した光を表示する発光表示手段とを有する携帯端末装置であって、発光表示手段の一部は、携帯端末装置の筐体面から突出して固定して設けられることを特徴とする。
【００１６】
本発明の第２の携帯端末装置は、本発明の第１の携帯端末装置において、発光表示手段の一部は、山型形状であることを特徴とする。
【００１７】
本発明の第３の携帯端末装置は、本発明の第１又は第２の携帯端末装置において、発光表示手段は、発光手段が発光した光を受光する受光部と、受光部が受光した光を導光する導光部と、導光部が導光した光を表示する少なくとも１以上の発光表示部と、を有し、発光表示部が、発光表示手段の一部であることを特徴とする。
【００１８】
本発明の第４の携帯端末装置は、本発明の第３の携帯端末装置において、発光表示部が少なくとも２つ以上設けられる場合、第１の発光表示部と第２の発光表示部は、相対する筐体面からそれぞれ突出して固定して設けられることを特徴とする。
【発明の効果】
【００１９】
本発明によれば、携帯端末装置の発光表示構造において、筐体における設置スペースを最小限にでき、常時かつ多方面から発光表示を視認することが可能となる。
【発明を実施するための最良の形態】
【００２０】
以下、本発明を実施するための最良の形態について添付図面を参照して詳細に説明する。
【００２１】
本発明の携帯端末装置の実施形態１として、折り畳み式携帯電話機について説明する。なお、本発明の携帯端末装置は、折り畳み式携帯電話機に限らず、その他の形状の携帯電話機でもよいし、携帯型のコンピュータ（ＰＤＡ（Personal Digital Assistant）、ノート型パソコン、ゲーム機など）でもよい。
【００２２】
本発明の実施形態１としての折り畳み式携帯電話機の外観斜視図を図１に示す。
図１に示すように、本実施形態の折り畳み式携帯電話機は、上筐体と下筐体とがヒンジ部を介して開閉可能な携帯電話機であり、上筐体には各種情報を表示する表示部を備え、下筐体には操作者からの各種操作を受け付ける操作部を備える。
【００２３】
このような折り畳み式携帯電話機において、本発明の発光表示構造は、上筐体の右側面におけるヒンジ部近傍に設けられている。この発光表示構造は、発光表示レンズ（発光表示手段）と、ＬＥＤ（発光手段）とを有して構成される。図１のＢ部分では、発光表示レンズの一部である発光表示部６ａが示されている。なお、本実施形態では、図１に示すように、発光表示構造を、上筐体の右側面におけるヒンジ部近傍に設けるようにしたが、設置位置はこれに限られず、上筐体及び下筐体のいずれかの面に設置することができる。
【００２４】
図１のＢ部分の拡大図を図２に示す。また、図２に示す矢印Ｃの方向（下筐体の下方）から見た拡大図を図３に示し、図２に示す矢印Ｄの方向（下筐体の表面側）から見た拡大図を図４に示す。
図２、図３、図４に示すように、発光表示レンズの一部である発光表示部６ａは、上筐体の右側面から突出し、固定して設けられている。また、この発光表示部６ａは凸状（山型形状）になっている。なお、本実施形態では、凸状の例として、図２に示すように多面体となっているが、半球形状（楕円型の球形も含む）でもよい。
【００２５】
図２に示す矢印Ｅの方向（下筐体の裏面側）から見た拡大図を図５に示し、この図５に本発明の発光表示構造の内部構成を示す。また、図２に示す矢印Ｃの方向と相対する方向（下筐体の上方）から見た拡大断面図を図６に示す。
本発明の発光表示構造は、図５、図６に示すように、発光表示レンズ（発光表示手段）６と、ＬＥＤ（発光手段）８とを有して構成される。発光表示レンズ６は、折り畳み式携帯電話機の筐体５の内側に固定して取り付けられ、プリント基板７に実装されるＬＥＤ８を覆うように配置されている。この発光表示レンズ６は、凸状の発光表示部６ａと、導光部６ｂと、受光部６ｃとを有して構成されている。
【００２６】
発光表示レンズ６は、ＬＥＤ８から放射された光を、受光部６ｃにより受光し、導光部６ｂを通じて発光表示部６ａに導光する。発光表示部６ａに導光された光は、凸状（山型形状）により拡散される。よって、発光表示部６ａ全体が光る構造となっている。
【００２７】
さらに、発光表示部６ａの表面に細かなシボ状の凹凸をつけることにより、光の拡散性を上げ、視認性の向上につなげることができる。
【００２８】
以上説明したように、本実施形態の発光表示構造、及び、それを有する折り畳み式携帯電話機によれば、以下の効果を奏する。
第一の効果は、発光表示部を筐体より突出させた状態で固定して配置することにより、発光表示レンズの取り付け面の対となる面を除く５面方向から発光表示を常時視認でき、操作者の視認を容易にするという効果がある。
第二の効果は、発光表示部を凸状（山型形状）にすることにより、均一に発光することができるので、突出した発光表示部を小さな形状にしても操作者の視認を容易にするという効果がある。従って、発光表示部を小型化できるので、筐体への実装に必要なスペースを削減できるという効果があり、筐体の開口部が削減されることにより、開口部の強度劣化を減らすという効果もある。
【００２９】
本発明の携帯端末装置の実施形態２として、折り畳み式携帯電話機について説明する。本発明の実施形態２としての折り畳み式携帯電話機は、上述した実施形態１の折り畳み式携帯電話機と基本的には同一であるが、発光表示構造の設置数が異なる。
【００３０】
本発明の実施形態２としての折り畳み式携帯電話機の部分拡大図を図７に示し、そのＧ−Ｇ断面図を図８に示す。図７は、折り畳んだ状態（上筐体と、下筐体とが重なり合った状態）を側面から見た拡大図である。
図７、図８に示すように、本実施形態の折り畳み式携帯電話機では、上筐体９の内側に発光表示レンズ１０を固定して設け、下筐体１１の内側に発光表示レンズ１２を固定して設ける。発光表示部１０ａと、発光表示部１２ａとは対照位置に配置する。発光表示部１０ａは、上筐体の裏面（表示部を備えた面を表面とすると、その表面に相対する面）に突出し、固定して設けられる。また、発光表示部１２ａは、下筐体の裏面（操作面を備えた面を表面とすると、その表面に相対する面）に突出し、固定して設けられる。なお、発光表示部１０ａ、１２ａは、共に凸状（山型形状）になっている。なお、凸状は、半球形状（楕円型の球形も含む）でもよい。
【００３１】
このように構成された発光表示レンズ１０、１２において、プリント基板１３に実装されるＬＥＤ１４より発せられる光を図示しない受光部が受光し、その光を図示しない導光部が発光表示部１０ａ、１２ａに導光する。発光表示部１０ａ及び１２ａは、導光された光を、凸状（山型形状）により拡散する。よって、発光表示部１０ａ及び１２ａ全体が光る構造となっている。
【００３２】
さらに、発光表示部１０ａ及び１２ａの表面に細かなシボ状の凹凸をつけることにより、光の拡散性を上げ、視認性の向上につなげることができる。
【００３３】
なお、本実施形態では、設置する発光表示構造（発光表示部）を２つとしたが、数はこれに限られない。また、発光表示部を設置する場所についても本実施形態に限られず、筐体のどの面にも設置できるものとする。
【００３４】
以上説明したように、本実施形態の発光表示構造、及び、それを有する折り畳み式携帯電話機によれば、筐体の両側面に発光表示構造（発光表示部）を配置することにより、筐体による死角がなくなり、操作者は全方向から発光表示の視認が可能となる。
【００３５】
以上、本発明の実施形態について説明したが、上記実施形態に限定されるものではなく、その要旨を逸脱しない範囲において種々の変形が可能である。
【産業上の利用可能性】
【００３６】
本発明は、発光表示レンズの実装において、実装レイアウトスペースの制限等により、従来構造のレンズが設置できない場合に有効な手段として利用される。
【図面の簡単な説明】
【００３７】
【図１】本発明の第１の実施形態である携帯端末装置の外観を示す斜視図である。
【図２】図１に示す携帯端末装置のＢ部分を示す拡大図である。
【図３】図２に示す矢印Ｃの方向から見た状態を示す図である。
【図４】図２に示す矢印Ｄの方向から見た状態を示す図である。
【図５】図２に示す矢印Ｅの方向から見た状態を示す図である。
【図６】図３に示すＦ−Ｆ断面図である。
【図７】本発明の第２の実施形態である携帯端末装置の発光表示構造の実装部分を示す拡大図である。
【図８】図７に示すＧ−Ｇ断面図である。
【図９】本発明に関連する携帯端末装置の一例の外観を示す斜視図である。
【図１０】本発明に関連する携帯端末装置の一例の外観を示す斜視図である。
【図１１】図９に示すＡ−Ａ断面図である。
【符号の説明】
【００３８】
１、６    発光表示レンズ（発光表示手段）
１ａ、６ａ、１０ａ、１２ａ    発光表示部
１ｂ、６ｂ    導光部
２、５    筐体
２ａ、２ｂ    筐体面
３、７、１３    プリント基板
４、８、１４    ＬＥＤ（発光手段）
６ｃ    受光部
９    上筐体
１０    上筐体用発光表示レンズ（発光表示手段）
１１    下筐体
１２    下筐体用発光表示レンズ（発光表示手段）
【図１】
0005211638.tif 000002
【図２】
0005211638.tif 000003
【図３】
0005211638.tif 000004
【図４】
0005211638.tif 000005
【図５】
0005211638.tif 000006
【図６】
0005211638.tif 000007
【図７】
0005211638.tif 000008
【図８】
0005211638.tif 000009
【図９】
0005211638.tif 000010
【図１０】
0005211638.tif 000011
【図１１】
0005211638.tif 000012